(57)【要約】【課題】ＰＨＳ方式の事業所デジタルコードレス電話システムと他の方式のデジタルコードレス電話システムとの通信エリアが重複しても、ＰＨＳ方式側における電波干渉の発生時間を短縮し、通信品質の確保が可能な事業所用デジタルコードレス電話システムを提供する。【解決手段】基地局１２は、端末１３との間の通信チャネルに対する電波干渉の発生を監視する通信品質監視部１２１と、通信品質監視部１２１にてあらかじめ定めた品質閾値以下の通信品質の低下を検出した場合や通信相手先の端末１３からチャネル切替要求を受け取った場合に、他の方式のデジタルコードレス電話システムが使用中の周波数とは異なる周波数帯域のチャネルを切替チャネルとして選択する切替チャネル選択部１２２と、電波干渉が発生したチャネルを切替チャネル選択部１２２により選択された前記切替チャネルに切り替える動作を制御するチャネル切替制御部１２３と、を少なくとも備える。【選択図】        図１
2014120933.tif 000002
【特許請求の範囲】
【請求項１】
第二世代デジタルコードレス電話システムとして規格化されたＰＨＳ（Personal  Handy-Phone  System）方式を採用した基地局と端末とから構成される事業所用デジタルコードレス電話システムにおいて、前記基地局の通信エリア内に同一周波数帯域を使用する他の方式のデジタルコードレス電話システムの無線機器が存在している場合に備え、前記基地局は、前記端末との間の通信に用いるチャネルに対する電波干渉が発生して、通信中の通信品質の低下が発生したか否かを監視する通信品質監視手段と、前記通信品質監視手段にて通信中の通信品質があらかじめ定めた品質閾値以下に低下したことを検出した場合、または、通信相手先の前記端末からチャネル切替要求を受け取った場合に、前記他の方式のデジタルコードレス電話システムが使用している周波数とは異なる周波数帯域のチャネルを切替チャネルとして選択する切替チャネル選択手段と、電波干渉が発生したチャネルを前記切替チャネル選択手段により選択された前記切替チャネルに切り替える動作を制御するチャネル切替制御手段と、を少なくとも備えていることを特徴とする事業所用デジタルコードレス電話システム。
【請求項２】
前記切替チャネル選択手段は、前記他の方式のデジタルコードレス電話システムの各チャネルの周波数帯域に該当する周波数帯域となるＰＨＳ方式における各チャネルの合計帯域それぞれを該当帯域として、また、前記他の方式のデジタルコードレス電話システムの各チャネルの周波数帯域に該当しない周波数帯域となるＰＨＳ方式における各チャネルの合計帯域を非該当帯域としてあらかじめ設定登録しておき、前記切替チャネルを選択する際に、前記非該当帯域よりも優先させて、前記該当帯域のうち、電波干渉が発生したチャネルが属する該当帯域以外のいずれかの該当帯域に属するチャネルの中から空きチャネルを前記切替チャネルとして選択することを特徴とする請求項１に記載の事業所用デジタルコードレス電話システム。
【請求項３】
前記端末との通信を行うためのチャネルを前記切替チャネル選択手段により選択された前記切替チャネルに前記チャネル切替制御手段によって切り替えて、前記端末との間の通信状態になった以降において、前記通信品質監視手段が、前記切替チャネルを使用した通信の通信品質があらかじめ定めた前記品質閾値以下に低下したことを検出した場合、前記切替チャネル選択手段は、前記該当帯域のうちまだ切替チャネルとして選択していない残りの該当帯域のいずれかに属するチャネルの中から空きチャネルを前記切替チャネルとして選択することを特徴とする請求項２に記載の事業所用デジタルコードレス電話システム。
【請求項４】
前記端末との通信を行うためのチャネルを前記切替チャネル選択手段により選択された前記切替チャネルに前記チャネル切替制御手段によって切り替えて、前記端末との間の通信状態になった以降において、前記通信品質監視手段が、前記切替チャネルを使用した通信の通信品質があらかじめ定めた前記品質閾値以下に低下したことを検出した場合、前記切替チャネル選択手段は、ただちに、前記非該当帯域に属するチャネルの中から空きチャネルを前記切替チャネルとして選択するか、または、前記該当帯域のうちまだ切替チャネルとして選択していない残りの該当帯域が存在していない状態になった場合に、前記非該当帯域の中から空きチャネルを前記切替チャネルとして選択することを特徴とする請求項２または３に記載の事業所用デジタルコードレス電話システム。
【請求項５】
前記通信品質監視手段は、通信の通信品質として通信データのＦＥＲ（Frame  Error  Rate）を監視し、該ＦＥＲの値があらかじめ定めた閾値以上に大きくなった場合に、通信の通信品質があらかじめ定めた前記品質閾値以下に低下したものとして検出することを特徴とする請求項１ないし４のいずれかに記載の事業所用デジタルコードレス電話システム。
【請求項６】
前記他の方式のデジタルコードレス電話システムが、ＤＥＣＴ（Digital  Enhanced  Cordless  Telecommunications）方式のデジタルコードレス電話システムであることを特徴とする請求項１ないし５のいずれかに記載の事業所用デジタルコードレス電話システム。
【請求項７】
第二世代デジタルコードレス電話システムとして規格化されたＰＨＳ（Personal  Handy-Phone  System）方式を採用した基地局と端末とから構成される事業所用デジタルコードレス電話システムにおける切替チャネル選択方法であって、前記基地局の通信エリア内に同一周波数帯域を使用する他の方式のデジタルコードレス電話システムの無線機器が存在している場合に備え、前記基地局は、前記端末との間の通信に用いるチャネルに対する電波干渉が発生して、通信中の通信品質の低下が発生したか否かを監視する通信品質監視ステップと、前記通信品質監視ステップにて通信中の通信品質があらかじめ定めた品質閾値以下に低下したことを検出した場合、または、通信相手先の前記端末からチャネル切替要求を受け取った場合に、前記他の方式のデジタルコードレス電話システムが使用している周波数とは異なる周波数帯域のチャネルを切替チャネルとして選択する切替チャネル選択ステップと、電波干渉が発生したチャネルを前記切替チャネル選択ステップにより選択された前記切替チャネルに切り替える動作を制御するチャネル切替制御ステップと、を少なくとも有していることを特徴とする切替チャネル選択方法。
【請求項８】
前記切替チャネル選択ステップは、前記他の方式のデジタルコードレス電話システムの各チャネルの周波数帯域に該当する周波数帯域となるＰＨＳ方式における各チャネルの合計帯域それぞれを該当帯域として、また、前記他の方式のデジタルコードレス電話システムの各チャネルの周波数帯域に該当しない周波数帯域となるＰＨＳ方式における各チャネルの合計帯域を非該当帯域としてあらかじめ設定登録しておき、前記切替チャネルを選択する際に、前記非該当帯域よりも優先させて、前記該当帯域のうち、電波干渉が発生したチャネルが属する該当帯域以外のいずれかの該当帯域に属するチャネルの中から空きチャネルを前記切替チャネルとして選択することを特徴とする請求項７に記載の切替チャネル選択方法。
【請求項９】
前記端末との通信を行うためのチャネルを前記切替チャネル選択ステップにより選択された前記切替チャネルに前記チャネル切替制御ステップによって切り替えて、前記端末との間の通信状態になった以降において、前記通信品質監視ステップにおいて、前記切替チャネルを使用した通信の通信品質があらかじめ定めた前記品質閾値以下に低下したことを検出した場合、前記切替チャネル選択ステップにより、ただちに、前記非該当帯域に属するチャネルの中から空きチャネルを前記切替チャネルとして選択するか、または、前記該当帯域のうちまだ切替チャネルとして選択していない残りの該当帯域が存在していない状態になった場合に、前記非該当帯域の中から空きチャネルを前記切替チャネルとして選択することを特徴とする請求項７または８に記載の切替チャネル選択方法。
【請求項１０】
請求項７ないし９のいずれかに記載の切替チャネル選択方法を、コンピュータによって実行可能なプログラムとして実施していることを特徴とする切替チャネル選択プログラム。
【発明の詳細な説明】
【技術分野】
【０００１】
本発明は、事業所用デジタルコードレス電話システム、切替チャネル選択方法および切替チャネル選択プログラムに関し、特に、第二世代コードレス電話システムの規格に準拠した事業所用デジタルコードレス電話システムの通信エリア内に同一周波数帯域を使用する異なる方式の他の電話システムが混在している場合に、混在した他の電話システムからの妨害電波を回避するためのチャネル切替を実施する事業所用デジタルコードレス電話システム、切替チャネル選択方法および切替チャネル選択プログラムに関する。本発明は、１．９ＧＨｚ帯域のＰＨＳ方式の事業所用デジタルコードレス電話システム（基地局、デジタルコードレス端末）と他の方式として国内で新たに規格化された１．９ＧＨｚ帯域のＤＥＣＴ（Digital  Enhanced  Cordless  Telecommunications）方式のデジタルコードレス電話システム（ＤＥＣＴ親機、ＤＥＣＴ子機）とが同一の通信エリアに重複して存在する場合に特に有効である。
【背景技術】
【０００２】
デジタルコードレス電話システムとして１．９ＧＨｚの無線周波数帯域を使用するＤＥＣＴ（Digital  Enhanced  Cordless  Telecommunications）方式が国内で新たに規格化されたことにより、第二世代コードレス電話システム（Personal  Handy-Phone  System）として社団法人電波産業会にて策定されたＲＣＲ  ＳＴＤ−２８規格に準拠するＰＨＳ（Personal  Handy-Phone  System）方式のデジタルコードレス電話システムと使用する無線周波数帯域と重複する状況が発生しつつある。ここで、これらの双方のデジタルコードレス電話システムが互いに重複する通信エリアに混在するような場合であって、使用している通信チャネルの周波数帯域が重複し、かつ、ＴＤＭＡ（Time  Division  Multiple  Access）方式のタイミングが重複するような場合には、互いの電波干渉が発生して、通信品質が低下して、通信エラーが発生する事態が回避できなくなってくる。
【０００３】
通常、かかる電波干渉を回避するためには、特許文献１の特開２０１１−７７９８５号公報「無線通信装置および無線通信方法」にも記載されているように、電波干渉を生じた通信中のチャネルを他のチャネルに切り替えるチャネル切替が有効である。しかし、該特許文献１の場合、チャネル切替を実施するデジタルコードレス電話システムは、ＤＥＣＴ方式側の無線機器であり、ＰＨＳ方式を適用した事業所用デジタルコードレス電話システム側の無線機器ではない。
【０００４】
ＤＥＣＴ方式の１通話チャネル当たりの周波数帯域幅は、ＰＨＳ方式を適用した事業所用デジタルコードレス電話システムの場合の帯域幅よりも広く、約６倍もあるため、ＤＥＣＴ方式側がチャネル切替を実施した場合には、電波干渉していたＰＨＳ方式側のチャネルとは異なる周波数帯域のチャネルに切り替えることができるが、ＰＨＳ方式側がチャネル切替を実施する場合には、電波干渉していたＰＨＳ方式側のチャネルの近傍の周波数帯域のチャネルに切り替えても、ＤＥＣＴ方式側にて通信中のチャネルとして使用している周波数帯域内に存在している場合が多く、切替先のチャネルにおいても通信エラーが発生してしまい、チャネル切替を繰り返す事態が生じる。かくのごときチャネル切替動作中は、無通信状態が発生し、通信内容の脱落（音声通話の場合は音抜け）が生じたり雑音が混入したりすることになり、頻繁なチャネル切替動作は、使用するユーザへの著しいサービス低下要因になってしまう。
【先行技術文献】
【特許文献】
【０００５】
【特許文献１】特開２０１１−７７９８５号公報（第６−８頁）
【発明の開示】
【発明が解決しようとする課題】
【０００６】
前述したように、第二世代コードレス電話システム（Personal  Handy-Phone  System）として社団法人電波産業会が策定のＲＣＲ  ＳＴＤ−２８規格に準拠するＰＨＳ（Personal  Handy-Phone  System）方式を適用した事業者用デジタルコードレス電話システムの通信エリア内に、同じ無線周波数帯（１．９ＧＨｚ）を使用するＥＴＳＩ（European  Telecommunications  Standards  Institute）策定のデジタルコードレス電話規格のＤＥＣＴ（Digital  Enhanced  Cordless  Telecommunications）方式のデジタルコードレス電話システムの通信エリアがほぼ重複して共存する状況が発生した場合であっても、チャネル切替は干渉回避の有効な手段であることに変りはない。
【０００７】
しかし、前述したように、ＤＥＣＴ方式の通信チャネルはＰＨＳ方式の約６倍の周波数帯域を必要とするため、ＰＨＳ方式側において電波干渉が発生したチャネルを切り替えるチャネル切替を実施しても、電波干渉元になっていたＤＥＣＴ方式側の通信チャネルの周波数帯域とは異なるチャネルに切り替わることができるとは限らず、チャネル切替を実施しても、エラーレートがあらかじめ定めた閾値よりも少ない状態に収まらない可能性がある。かかる場合が生じると、ＰＨＳ方式側においてチャネル切替を何度繰り返しても、電波干渉を回避することができず、通信品質を劣化させ続けるという状況に陥ことになり、ユーザへのサービス品質を著しく低下させてしまう可能性が生じてしまう。
【０００８】
（本発明の目的）
本発明は、かかる事情に鑑みてなされたものであり、事業所用として設置したＰＨＳ方式のデジタルコードレス電話システムの通信エリアに他の方式のデジタルコードレス電話システム例えばＤＥＣＴ方式のデジタルコードレス電話システムの通信エリアが重複して存在するような場合であっても、ＰＨＳ方式側におけるチャネル選択方法を工夫して、チャネル切替を迅速に実施することを可能にすることによって、電波干渉の発生時間を短縮し、通信品質を確保することが可能な事業所用デジタルコードレス電話システム、切替チャネル選択方法および切替チャネル選択プログラムを提供することをその目的としている。
【課題を解決するための手段】
【０００９】
前述の課題を解決するため、本発明による事業所用デジタルコードレス電話システム、切替チャネル選択方法および切替チャネル選択プログラムは、主に、次のような特徴的な構成を採用している。
【００１０】
（１）本発明による事業所用デジタルコードレス電話システムは、第二世代デジタルコードレス電話システムとして規格化されたＰＨＳ（Personal  Handy-Phone  System）方式を採用した基地局と端末とから構成される事業所用デジタルコードレス電話システムにおいて、前記基地局の通信エリア内に同一周波数帯域を使用する他の方式のデジタルコードレス電話システムの無線機器が存在している場合に備え、前記基地局は、前記端末との間の通信に用いるチャネルに対する電波干渉が発生して、通信中の通信品質の低下が発生したか否かを監視する通信品質監視手段と、前記通信品質監視手段にて通信中の通信品質があらかじめ定めた品質閾値以下に低下したことを検出した場合、または、通信相手先の前記端末からチャネル切替要求を受け取った場合に、前記他の方式のデジタルコードレス電話システムが使用している周波数とは異なる周波数帯域のチャネルを切替チャネルとして選択する切替チャネル選択手段と、電波干渉が発生したチャネルを前記切替チャネル選択手段により選択された前記切替チャネルに切り替える動作を制御するチャネル切替制御手段と、を少なくとも備えていることを特徴とする。
【００１１】
（２）本発明による切替チャネル選択方法は、第二世代デジタルコードレス電話システムとして規格化されたＰＨＳ（Personal  Handy-Phone  System）方式を採用した基地局と端末とから構成される事業所用デジタルコードレス電話システムにおける切替チャネル選択方法であって、前記基地局の通信エリア内に同一周波数帯域を使用する他の方式のデジタルコードレス電話システムの無線機器が存在している場合に備え、前記基地局は、前記端末との間の通信に用いるチャネルに対する電波干渉が発生して、通信中の通信品質の低下が発生したか否かを監視する通信品質監視ステップと、前記通信品質監視ステップにて通信中の通信品質があらかじめ定めた品質閾値以下に低下したことを検出した場合、または、通信相手先の前記端末からチャネル切替要求を受け取った場合に、前記他の方式のデジタルコードレス電話システムが使用している周波数とは異なる周波数帯域のチャネルを切替チャネルとして選択する切替チャネル選択ステップと、電波干渉が発生したチャネルを前記切替チャネル選択ステップにより選択された前記切替チャネルに切り替える動作を制御するチャネル切替制御ステップと、を少なくとも有していることを特徴とする。
【００１２】
（３）本発明による切替チャネル選択プログラムは、少なくとも前記（２）に記載の切替チャネル選択方法を、コンピュータによって実行可能なプログラムとして実施していることを特徴とする。
【発明の効果】
【００１３】
本発明の事業所用デジタルコードレス電話システム、切替チャネル選択方法および切替チャネル選択プログラムによれば、以下のような効果を奏することができる。
【００１４】
ＰＨＳ方式の事業者用デジタルコードレス電話システムの通信エリアに他の方式のデジタルコードレス電話システム例えばＤＥＣＴ方式のデジタルコードレス電話システムの通信エリアが重複して存在するような場合であっても、ＰＨＳ方式側において、他の方式例えばＤＥＣＴ方式側との電波干渉が発生しないチャネルを迅速かつ確実に選択してチャネル切替を実施することができるので、他の方式例えばＤＥＣＴ方式側からの電波干渉の発生時間を短縮し、通信品質の確保を図ることができる。また、かかるチャネル選択動作およびチャネル切替動作は、新たなハードウェア的な実現手段を導入することなく、ソフトウェアの変更のみで実現することが可能であり、導入コストの大幅な低減を図ることも可能である。
【図面の簡単な説明】
【００１５】
【図１】本発明による事業所用デジタルコードレス電話システムのシステム構成の一例を示すシステム構成図である。
【図２Ａ】ＰＨＳ方式の事業所用デジタルコードレス電話システムとＤＥＣＴ方式のデジタルコードレス電話システムとのチャネル割り当て状態を説明するための模式図である。
【図２Ｂ】ＰＨＳ方式の事業所用デジタルコードレス電話システム１０のＤＥＣＴ方式のデジタルコードレス電話システム２０とのチャネル割り当て状態の対応関係を該当帯域と非該当帯域とに分類してあらかじめ設定登録しているテーブルを示す図である。
【図３】図１に示す事業所用デジタルコードレス電話システムにおけるチャネル切替動作の一例を説明するためのフローチャートである。
【図４】図１に示す事業所用デジタルコードレス電話システムにおける具体的なチャネル切替動作を説明するためのシーケンスチャートである。
【発明を実施するための形態】
【００１６】
以下、本発明による事業所用デジタルコードレス電話システム、切替チャネル選択方法および切替チャネル選択プログラムの好適な実施形態について添付図を参照して説明する。なお、以下の説明においては、本発明による事業所用デジタルコードレス電話システムおよび切替チャネル選択方法について説明するが、かかる切替チャネル選択方法をコンピュータにより実行可能な切替チャネル選択プログラムとして実施するようにしても良いし、あるいは、切替チャネル選択プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。一般に、同一通信エリア内にＰＨＳ（１.９ＧＨｚ帯）方式の無線機器と他の方式の無線機器例えばＤＥＣＴ（１.９ＧＨｚ帯）方式の無線機器とが共存し、ＰＨＳ方式の第二世代デジタルコードレス電話システムの規格に準拠した事業所用デジタルコードレス電話システムにおけるＰＳ（Personal  Station：移動局、端末）−ＣＳ（Cell  Station：基地局）間の通信中に、通信中の通話チャネルと同一周波数帯域を使用した他の方式の無線機器例えばＤＥＣＴ方式の無線機器からの妨害電波が発生した場合、音声データ等の通信データの通信エラーが発生し、通信ノイズ混入としての現象が継続することになる。その結果、音声通話の場合、音声が途切れ、雑音や音抜けの現象となり、ＰＨＳ（１.９ＧＨｚ帯）方式側のかかる現象を解消する手段として、ＰＨＳ（１.９ＧＨｚ帯）方式側において基地局（ＣＳ）と端末（ＰＳ）との間の通話チャネルを他の周波数帯域のチャネルに切り替えるチャネル切替を実施することが必要になる。
【００１８】
本発明においては、通信中の通信データに通信エラーが発生した場合、基地局（ＣＳ）は、通信中の通話チャネルを、他の方式の無線機器例えばＤＥＣＴ（１.９ＧＨｚ帯）方式の無線機器が使用している周波数帯域とは異なる周波数帯域のチャネルを切替チャネルとして迅速かつ的確に選択して、端末（ＰＳ）に対して該切替チャネルへの変更を指示し、他の方式の無線機器例えばＤＥＣＴ（１.９ＧＨｚ帯）方式の無線機器による妨害電波のない周波数帯域に短時間で切り替えることを可能にすることにより、通信品質を迅速に良好な状態に回復させることを主要な特徴としている。
【００１９】
（実施形態の構成例）
次に、本発明による事業所用デジタルコードレス電話システムのシステム構成について、その一例を、図１を用いて説明する。図１は、本発明による事業所用デジタルコードレス電話システムのシステム構成の一例を示すシステム構成図であり、１．９ＧＨｚ帯の第二世代デジタルコードレス電話システムのＰＨＳ（Personal  Handy-Phone  System）方式を採用した本発明による事業所用デジタルコードレス電話システムと、事業所用デジタルコードレス電話システムと同一の周波数帯域を使用する他のデジタルコードレス電話システムの例として、事業所用デジタルコードレス電話システムと同一周波数帯域の１．９ＧＨｚ帯を使用するＤＥＣＴ（Digital  Enhanced  Cordless  Telecommunications）方式のデジタルコードレス電話システムとの双方の通信エリアが互いに重複して存在している場合を示している。
【００２０】
つまり、図１に示すシステム構成例においては、事業所用デジタルコードレス電話システム１０は、主装置（ＭＥ）１１の制御下で動作する基地局（ＣＳ：Cell  Station）１２の通信エリア１０Ａと、他のデジタルコードレス電話システムの一例としてＤＥＣＴ方式のデジタルコードレス電話システム２０の通信エリア２０Ａとが互いに重複したエリアに存在している状態を示している。
【００２１】
さらに、図１に示すシステム構成例においては、事業所用デジタルコードレス電話システム１０の基地局（ＣＳ）１２と端末（ＰＳ：Personal  Station）１３との間は、ＰＨＳ方式の２５ｃｈのチャネルを用いて通信中になっている状態において、ＤＥＣＴ方式のデジタルコードレス電話システム２０のＤＥＣＴ親機２１とＤＥＣＴ子機２２との間で、ＤＥＣＴ方式のＦ５チャネルを用いて通信を開始した状態になったものと仮定している。
【００２２】
ここで、ＰＨＳ方式の事業所用デジタルコードレス電話システム１０とＤＥＣＴ方式のデジタルコードレス電話システム２０とのチャネル割り当て状態について、図２Ａおよび図２Ｂを用いて説明する。図２Ａおよび図２Ｂは、ＰＨＳ方式の事業所用デジタルコードレス電話システム１０とＤＥＣＴ方式のデジタルコードレス電話システム２０とのチャネル割り当て状態を説明するための模式図であり、図２Ａ（１）がＰＨＳ方式の事業所用デジタルコードレス電話システム１０のチャネル割り当て状態を示し、図２Ａ（２）がＤＥＣＴ方式のデジタルコードレス電話システム２０のチャネル割り当て状態を示している。また、図２Ｂは、ＰＨＳ方式の事業所用デジタルコードレス電話システム１０のＤＥＣＴ方式のデジタルコードレス電話システム２０とのチャネル割り当て状態の対応関係を該当帯域と非該当帯域とに分類してあらかじめ設定登録しているテーブルである。
【００２３】
なお、図２Ａおよび図２Ｂには、制御チャネルおよび隣接チャネルを除く通話チャネルについてのみ示し、ＰＨＳ方式を採用する事業所用デジタルコードレス電話システム１０のチャネルについては、ＤＥＣＴ方式のデジタルコードレス電話システム２０のチャネルとの対応付けが容易になるように、通話チャネルを帯域０〜帯域５にグループ分けし、ＤＥＣＴ方式のデジタルコードレス電話システム２０の各チャネルの周波数帯域に該当する周波数帯域となるＰＨＳ方式における各チャネルの合計帯域それぞれを該当帯域（すなわち帯域１〜５）として、また、ＤＥＣＴ方式のデジタルコードレス電話システム２０の各チャネルの周波数帯域に該当しない周波数帯域となるＰＨＳ方式における各チャネルの合計帯域を非該当帯域（すなわち帯域０）としてあらかじめ設定登録している場合を示している。
【００２４】
図２Ａ（２）に示すように、１．９ＧＨｚ帯域のＤＥＣＴ方式のデジタルコードレス電話システム２０として我が国において許可されている通話チャネルは、１８９３．６５ＭＨｚ〜１９０５．９５ＭＨｚの中のＦ１ｃｈ（１８９４．７６２ＭＨｚ〜１８９６．４８ＭＨｚ）、〜、Ｆ５ｃｈ（１９０１．０６４ＭＨｚ〜１９０３．３９２ＭＨｚ）の５ｃｈ分であるが、これらの周波数帯域は、図２Ａ（１）に示すように、１．９ＧＨｚ帯域のＰＨＳ方式の事業所用デジタルコードレス電話システム１０において、それぞれの該当帯域として、１ｃｈ〜５ｃｈの５つのチャネル数からなる帯域１、〜、２４ｃｈ〜２８ｃｈの５つのチャネル数からなる帯域５のそれぞれの周波数帯域が重複する状態にして割り当てられている。
【００２５】
すなわち、図２Ｂに示すように、１．９ＧＨｚ帯域のＰＨＳ方式の事業所用デジタルコードレス電話システム１０において、それぞれ、１ｃｈ〜５ｃｈの５つのチャネル数からなる帯域１、６ｃｈ〜１０ｃｈの５つのチャネル数からなる帯域２、１４ｃｈ〜１６ｃｈの３つのチャネル数からなる帯域３、２０ｃｈ〜２３ｃｈの４つのチャネル数からなる帯域４および２４ｃｈ〜２８ｃｈの５つのチャネル数からなる帯域５のそれぞれの周波数帯域は、ＤＥＣＴ方式のＦ１ｃｈ（１８９４．７６２ＭＨｚ〜１８９６．４８ＭＨｚ）、Ｆ２ｃｈ（１８９６．４８ＭＨｚ〜１８９８．２０８ＭＨｚ）、Ｆ３ｃｈ（１８９８．２０８ＭＨｚ〜１８９９．９０６ＭＨｚ）、Ｆ４ｃｈ（１８９９．９０６ＭＨｚ〜１９０１．０６４ＭＨｚ）およびＦ５ｃｈ（１９０１．０６４ＭＨｚ〜１９０３．３９２ＭＨｚ）のそれぞれと重複する周波数帯域である。
【００２６】
ここで、事業所用デジタルコードレス電話システム１０において、図２Ｂに示すように、１８９３．６５ＭＨｚ〜１９０５．９５ＭＨｚの周波数帯域のうち、帯域０で示す２５１ｃｈ〜２５５ｃｈの５ｃｈ分と２９ｃｈ〜３７ｃｈの９ｃｈ分については、非該当帯域であり、ＤＥＣＴ方式の通話チャネルとの周波数の重複がない周波数帯域である。
【００２７】
したがって、図１に示したように、事業所用デジタルコードレス電話システム１０の基地局（ＣＳ）１２と端末（ＰＳ：Personal  Station）１３との間は、ＰＨＳ方式の２５ｃｈのチャネル（すなわち帯域５に属するチャネル）を用いて通信中になっている状態において、ＤＥＣＴ方式のデジタルコードレス電話システム２０のＤＥＣＴ親機２１とＤＥＣＴ子機２２との間で、ＤＥＣＴ方式のＦ５チャネルを用いて通信を開始した場合、ＴＤＭＡ（Time  Division  Multiple  Access）のタイミングにもよるが、事業所用デジタルコードレス電話システム１０の２５ｃｈのチャネル（すなわち帯域５に属するチャネル）とＤＥＣＴ方式のデジタルコードレス電話システム２０のＦ５ｃｈの通信とは互いの干渉が発生することになり、事業所用デジタルコードレス電話システム１０の通信中の２５ｃｈの通信データに通信エラーが発生し、通信ノイズ混入としての現象が継続することになる。その結果、音声通話の場合、音声が途切れ、雑音や音抜けの現象が発生する。したがって、かかる現象を解消する手段として、事業所用デジタルコードレス電話システム１０側において通信チャネルを他の周波数帯域に切り替えるチャネル切替を実施することが必要である。
【００２８】
しかし、事業所用デジタルコードレス電話システム１０のチャネル切替として、通信チャネルを通信中の２５ｃｈの隣接チャネル例えば２６ｃｈに切り替えたとしても、ＤＥＣＴ方式のデジタルコードレス電話システム２０のＦ５ｃｈの通信との干渉状態を解消することができず、相変わらず、通信データの通信エラーが発生し、通信ノイズ混入としての現象が継続することになる。
【００２９】
すなわち、図２Ｂに示すように、ＤＥＣＴ方式のデジタルコードレス電話システム２０のＦ１ｃｈ〜Ｆ５ｃｈの各チャネルの周波数帯域は、帯域幅がチャネル当たり３００ｋＨｚの事業所用デジタルコードレス電話システム１０の場合よりも、３〜６倍の広い帯域を使用している。したがって、図１に示したＤＥＣＴ方式の通信チャネルはＰＨＳ方式の約６倍の帯域を使用しているため、ＰＨＳ方式側においてチャネルを切り替えても、ＤＥＣＴ方式側の１通信チャネルの周波数帯域から移動させることができるとは限らない。
【００３０】
かくのごとき事態を解消するために、事業所用デジタルコードレス電話システム１０の基地局（ＣＳ）１２は、図１に示すように、通信品質監視部１２１、切替チャネル選択部１２２およびチャネル切替制御部１２３を少なくとも備えている。通信品質監視部１２１は、通信中の通信データの品質（フレームエラーレート：ＦＥＲ（Frame  Error  Rate））を監視する部位であり、通信品質があらかじめ定めた品質閾値以下に低下して、ＦＥＲの値があらかじめ定めた閾値以上に大きくなった場合、ＤＥＣＴ方式のデジタルコードレス電話システム２０との間の干渉が発生しているものと見做して、通信チャネルを切り替えるために、チャネル切替要求を切替チャネル選択部１２２に対して出力する。
【００３１】
また、切替チャネル選択部１２２は、通信品質監視部１２１からチャネル切替要求を受け取った際に、または、通信相手先の端末（ＰＳ）１３からチャネル切替要求を受け取った際に、ＤＥＣＴ方式のデジタルコードレス電話システム２０との間の干渉が生じない空きチャネルを選択する部位であり、まず、ＤＥＣＴ方式のデジタルコードレス電話システム２０における各チャネルに対応する該当帯域として定義した図２Ａおよび図２Ｂに示す帯域１〜帯域５のうち、干渉が発生したチャネルが属する帯域以外の帯域に属する空きチャネルを切替チャネルとして優先して選択する。
【００３２】
ここで、該当帯域である帯域１〜帯域５のいずれにも切替可能な空きチャネルが存在していない場合には、最終的に、ＤＥＣＴ方式のデジタルコードレス電話システム２０との周波数の重複がない非該当帯域の帯域０に属するチャネルの中から、空きチャネルを切替チャネルとして選択する。あるいは、選択した切替チャネルに切り替えた以降においても、通信品質監視部１２１の監視結果として通信品質があらかじめ定めた品質閾値以下に低下して、ＦＥＲの値があらかじめ定めた閾値以上に大きくなった場合には、ただちに、ＤＥＣＴ方式のデジタルコードレス電話システム２０との周波数の重複がない非該当帯域の帯域０に属するチャネルの中から、空きチャネルを切替チャネルとして選択する。
【００３３】
また、チャネル切替制御部１２３は、切替チャネル選択部１２２にて選択された切替チャネルに切り替える動作を制御する部位であり、通信相手先の端末（ＰＳ）１３に対して、指定した切替チャネルに通話チャネルを切り替えるＴＣＨ（Traffic  Channel：通話チャネル）切替指示を送信して通話チャネルの切り替えを実施するとともに、端末（ＰＳ）１３との間で、切り替えた通話チャネルの同期を確立した後、ＳＡＣＣＨ（Slow  Associated  Control  Channel：低速付随制御チャネル）を用いて、呼設定を行うためのＳＡＢＭ（Set  Asynchronous  Balanced  Mode）コマンド、ＵＡ（Unnumbered  Acknowledgement）レスポンスの交換動作を制御する。
【００３４】
（実施形態の動作の説明）
次に、図１に示した事業所用デジタルコードレス電話システム１０におけるチャネル切替動作の一例について、図３のフローチャートを用いて説明する。図３は、図１に示す事業所用デジタルコードレス電話システム１０におけるチャネル切替動作の一例を説明するためのフローチャートである。
【００３５】
なお、図３のフローチャートにおいては、前述したように、事業所用デジタルコードレス電話システム１０の基地局（ＣＳ）１２と端末（ＰＳ）１３との間で、ＰＨＳ方式の２５ｃｈのチャネルを用いて通信中になっている状態において、ＤＥＣＴ方式のデジタルコードレス電話システム２０のＤＥＣＴ親機２１とＤＥＣＴ子機２２との間で、ＤＥＣＴ方式のＦ５チャネルを用いて通信を開始した結果として、基地局（ＣＳ）１２と端末（ＰＳ）１３との間の通信のＦＥＲ（フレームエラーレート）があらかじめ定めた閾値を超えて、端末（ＰＳ）１３側から通話チャネルの切替要求が基地局（ＣＳ）１２に送信されてきた場合の基地局（ＣＳ）１２の動作について示している。
【００３６】
図３のフローチャートにおいて、基地局（ＣＳ）１２の切替チャネル選択部１２２は、端末（ＰＳ）１３側から通話チャネルの切替要求すなわち（ＲＴ  ＴＣＨ切替要求）を受け取ると（ステップＳ１）、切替要求の対象になっている現在使用中の通話チャネル例えば２５ｃｈが、図２Ａおよび図２Ｂに示した帯域０〜帯域５のどの帯域に属しているか検索する（ステップＳ２）。しかる後、検索結果として、ＤＥＣＴ方式のデジタルコードレス電話システム２０とは周波数が重複しない非該当帯域の帯域０に属しているか否かを確認する（ステップＳ３）。
【００３７】
現在使用中の通話チャネル例えば２５ｃｈが帯域０に属していなかった場合には（ステップＳ３のＮＯ）、非該当領域の帯域０および切替要求の対象になっている現在使用中の通話チャネル例えば２５ｃｈが属する帯域例えば帯域５を除いた残りの帯域（該当帯域）の中からいずれかの帯域の空きチャネルを選択して、選択したチャネルを切替チャネルとしてチャネル切替制御部１２３に通知する。
【００３８】
つまり、ＤＥＣＴ方式のデジタルコードレス電話システム２０が周波数を使用することがない非該当帯域の帯域０よりも、ＤＥＣＴ方式のデジタルコードレス電話システム２０と周波数が重複する該当帯域の帯域１〜５の中からの切替チャネル選択動作を優先して、まず、該当帯域の帯域１〜５の中から、現在使用中の通話チャネル例えば２５ｃｈが属する帯域５以外の帯域１〜４を対象にして、いずれかの帯域に属する空きチャネルを切替チャネルとして選択する動作を行う。切替チャネル選択部１２２からの通知を受け取ったチャネル切替制御部１２３は、受け取った切替チャネルへの切替を指示するＲＴ  ＴＣＨ切替指示を端末（ＰＳ）１３に対して送信し、該切替チャネルに通話チャネルを切り替える（ステップＳ４）。
【００３９】
一方、現在使用中の通話チャネルが非該当帯域の帯域０に属していた場合には（ステップＳ３のＮＯ）、帯域０に属するチャネルはＤＥＣＴ方式のデジタルコードレス電話システム２０とは周波数が重複していないチャネルであるので、帯域０内に属するチャネルのうち、現在使用中の通話チャネルとは異なる空きチャネルを切替チャネルとしてチャネル切替制御部１２３に通知する。切替チャネル選択部１２２からの通知を受け取ったチャネル切替制御部１２３は、受け取った切替チャネルへの切替を指示するＲＴ  ＴＣＨ切替指示を端末（ＰＳ）１３に対して送信し、該切替チャネルに通話チャネルを切り替える（ステップＳ５）。
【００４０】
しかる後、チャネル切替制御部１２３は、端末（ＰＳ）１３との間で、切り替えた該切替チャネルに関する同期合わせを行った後、呼設定を実施して、通信中の状態に復帰する制御を行う。チャネル切替制御部１２３における具体的なチャネル切替動作は図４のシーケンスチャートに示す通りである。図４は、図１に示す事業所用デジタルコードレス電話システム１０における具体的なチャネル切替動作を説明するためのシーケンスチャートであり、基地局（ＣＳ）１２と端末（ＰＳ）１３との間のチャネル切替および通信開始に関する信号のやり取りについてその一例を示している。
【００４１】
図４のシーケンスチャートにおいて、周波数１のチャネルを用いて、基地局（ＣＳ）１２と端末（ＰＳ）１３との間で通信中の状態にあった際に（シーケンスＳｅｑ１）、通信中のデータにエラーが発生すると（シーケンスＳｅｑ２）、例えば、エラーを検出した端末（ＰＳ）１３から基地局（ＣＳ）１２に対して通信チャネルの切替を要求するＲＴ  ＴＣＨ切替要求を送信してくる（シーケンスＳｅｑ３）。該ＲＴ  ＴＣＨ切替要求を受け取った基地局（ＣＳ）１２のチャネル切替制御部１２３は、切替チャネル選択部１２２にて切替先チャネルとして選択された周波数２の切替チャネルに現在使用中の周波数１の切替元チャネルを切り替えることを指示するＲＴ  ＴＣＨ切替指示を、端末（ＰＳ）１３に対して送信する（シーケンスＳｅｑ４）。
【００４２】
端末（ＰＳ）１３における周波数２へのチャネル切替動作が終了すると、該周波数２のチャネルのビット同期、フレーム同期を確立するために、同期バースト信号、アイドルＴＣＨバースト信号を、端末（ＰＳ）１３と基地局（ＣＳ）１２との間で交換し合う（シーケンスＳｅｑ５〜Ｓｅｑ８）。この結果として、端末（ＰＳ）１３と基地局（ＣＳ）１２との間の同期が確立すると、端末（ＰＳ）１３から呼設定を行うためのＳＡＢＭ（ＳＡＣＣＨ）信号が送信されてくる（シーケンスＳｅｑ９）。該ＳＡＢＭ（ＳＡＣＣＨ）信号を受け取った基地局（ＣＳ）１２のチャネル切替制御部１２３は、その応答となるＵＡ信号を返送することによって（シーケンスＳｅｑ１０）、基地局（ＣＳ）１２と端末（ＰＳ）１３との間は、切り替えた周波数２のチャネルを用いた通信中の状態に復帰する（シーケンスＳｅｑ１１）。
【００４３】
かくのごときチャネル切替動作によって、基地局（ＣＳ）１２と端末（ＰＳ）１３との間が通信中の状態に復帰すると、図３のフローチャートの説明に戻って、基地局（ＣＳ）１２の通信品質監視部１２１により、端末（ＰＳ）１３との間の通信品質を監視する動作を行い、通信中の音声データのＦＥＲ（フレームエラーレート）の値があらかじめ定めた閾値よりも少なくなっているか否かを確認する（ステップＳ６）。通信中の音声データのＦＥＲの値が該閾値よりも少なくなっている場合には（ステップＳ６のＹＥＳ）、切替チャネルに切り替えた結果、正常な品質の通信が可能な状態に回復しているので、チャネルの切替動作を終了する。
【００４４】
これに対して、通信中の音声データのＦＥＲの値が該閾値以上に大きくなった場合には（ステップＳ６のＮＯ）、該切替チャネルに切り替えても、まだ、通信品質が確保できない状態が継続しているので、チャネル切り替え回数があらかじめ定めた制限回数以下になっているか否かを確認する（ステップＳ７）。
【００４５】
ここで、該制限回数は、周波数帯域をより有効に活用するために、すべての帯域すなわち０〜帯域５のうち現在使用中の通話チャネルが属している帯域を除く残りのすべての帯域内の空きチャネルを選択する回数（すなわち５回）と設定しても良いし、あるいは、該当帯域の帯域１〜帯域５のうち現在使用中の通話チャネルが属している帯域を除くいずれかの帯域内の空きチャネルと非該当帯域の帯域０内の空きチャネルとの２回だけ選択するように設定しても良い。図３に示す本実施形態においては、周波数帯域を有効に活用しつつ、迅速に切替効果を得ることができるチャネル切替を実現可能にするために、該制限回数を２回に設定している場合を例示している。
【００４６】
つまり、図３においては、チャネル切り替え回数が該制限回数以下になっている場合には（ステップＳ７のＹＥＳ）、まだ、非該当帯域の帯域０に属する空きチャネルの選択動作を実施していないので、ステップＳ５に移行して、ＤＥＣＴ方式のデジタルコードレス電話システム２０とは周波数が重複していない帯域０に属するチャネルの中から空きチャネルを選択し直す動作を行い、しかる後、ステップＳ６に移行する。一方、チャネル切り替え回数が該制限回数を超えた場合には（ステップＳ７のＮＯ）、通話チャネルの切替を行っても、通話品質の回復が不可能な障害が発生している場合として、チャネル切替動作を終了する。
【００４７】
一般に、現在使用中のチャネルが帯域５に属するｃｈ２５であった場合において、ＤＥＣＴ方式のデジタルコードレス電話システム２０における通信により該チャネル２５ｃｈに対する干渉が発生した場合、ＤＥＣＴ方式側がＦ５チャネルを使用した通信を行っている場合であり、従来技術における問題として説明したように、同じ帯域５に属する近傍のチャネル例えばｃｈ２４、ｃｈ２８に切り替えたとしても、いずれも、ｃｈ２５の場合と同様、ＤＥＣＴ方式のデジタルコードレス電話システム２０のＦ５チャネルの周波数帯域内に該当しているので、音声データの通信エラーは継続して発生する可能性が高く、かつ、チャネル切替の都度、無音状態が発生して、音声通話ノイズとしてユーザに認識されてしまう事態が継続する。
【００４８】
これに対して、本実施形態においては、図３のフローチャートに説明したように動作することにより、現在使用中のチャネル例えば２５ｃｈを切り替える際の切替チャネルとして、現在使用中のチャネル例えば２５ｃｈと同じ帯域例えば帯域５に属するチャネルを選択する動作を禁止しているので、ＤＥＣＴ方式のデジタルコードレス電話システム２０のチャネル例えばＦ５チャネルの周波数帯域とは異なる周波数のチャネルを選択することができ、１回のチャネル切替動作で正常な通信品質を確保することが可能なチャネルに切り替えることができる。ここで、例え、切り替えた後の切替チャネルについてもＤＥＣＴ方式のデジタルコードレス電話システム２０が使用中の状態にあって、正常な通信品質を確保することができない状態になっていたとしても、次に、ＤＥＣＴ方式のデジタルコードレス電話システム２０が周波数を使用しない非該当帯域（すなわち帯域０）に属するチャネルを切替チャネルとして選択するので、最低２回のチャネル切替動作で干渉を確実に回避することができる。
【００４９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５０】
１０      事業所用デジタルコードレス電話システム
１０Ａ    通信エリア
１１      主装置（ＭＥ）
１２      基地局（ＣＳ）
１３      端末（ＰＳ）
２０      ＤＥＣＴ方式のデジタルコードレス電話システム
２０Ａ    通信エリア
２１      ＤＥＣＴ親機
２２      ＤＥＣＴ子機
１２１    通信品質監視部
１２２    切替チャネル選択部
１２３    チャネル切替制御部
【図１】
2014120933.tif 000003
【図２Ａ】
2014120933.tif 000004
【図２Ｂ】
2014120933.tif 000005
【図３】
2014120933.tif 000006
【図４】
2014120933.tif 000007